(57)【要約】【課題】本発明は除湿装置に関するもので、効果的な排熱対策がとれることを目的とするものである。【解決手段】そしてこの目的を達成するために本発明は、吸気口２、吸気口３と、排気口４、排気口５を有する本体ケース１と、この本体ケース１内に設けられたヒートポンプ６、除湿ローター１２およびこの除湿ローター１２を回動する回動手段とを備え、吸気口２から本体ケース１内に吸気した空気を放熱器９、除湿ローター１２の放湿部１４、放熱器８を順次介して排気口５へと送風する送風手段１７と、吸気口３から本体ケース１内に吸気した空気を吸熱器１１、除湿ローター１２の吸湿部１５を順次介して排気口４へと送風する送風手段１６と、排気口５に、屋外と連通する連通手段１８とを備えた構成とした。【選択図】図１
2011120977.tif 000002
【特許請求の範囲】
【請求項１】
第一、第二の吸気口と、第一、第二の排気口を有する本体ケースと、この本体ケース内に設けられたヒートポンプ、除湿ローターおよびこの除湿ローターを回動する回動手段とを備え、前記ヒートポンプは、圧縮機と、圧縮機の下流に順次設けた第一の放熱器、第二の放熱器、膨張手段、吸熱器とにより形成し、前記除湿ローターは放湿部と吸湿部とからなり、前記放湿部は前記第二の放熱器と前記第一の放熱器との間の風路に設け、前記吸湿部は前記吸熱器と前記第一の排気口との間の風路に設け、前記第一の吸気口から前記本体ケース内に吸気した空気を前記第二の放熱器、前記除湿ローターの前記放湿部、前記第一の放熱器を順次介して前記第一の排気口へと送風する第一の送風手段と、前記第二の吸気口から前記本体ケース内に吸気した空気を前記吸熱器、前記除湿ローターの前記吸湿部を順次介して前記第二の排気口へと送風する第二の送風手段と、前記第一の排気口に、屋外と連通する連通手段とを備えた除湿装置。
【請求項２】
第二の放熱器は、前記吸熱器の上部に設け、放熱フィンは上下方向に向けて配置し、前記第二の放熱器と、前記除湿ローターは前記放湿部と、前記第一の放熱器とは対向し、前記圧縮機から前記第一の放熱器に向かう冷媒管は、前記第一の放熱器の上部に繋がり、前記第一の放熱器から前記第二の放熱器に向かう冷媒管は、前記第二の放熱器の上部に繋がる構成とした請求項１に記載の除湿装置。
【請求項３】
前記吸熱器は、前記第二の放熱器から前記膨張手段に向かう第一の冷媒管と、前記吸熱器から前記圧縮機に向かう第二の冷媒管とが近接し熱交換部を形成する構成とした請求項１または２に記載の除湿装置。
【請求項４】
熱交換部である前記第一の冷媒管と前記第二の冷媒管とを放熱フィンで熱的に結合させた請求項１または２に記載の除湿装置。
【請求項５】
第一、第二の吸気口と、第一、第二の排気口を有する本体ケースと、この本体ケース内に設けられたヒートポンプ、除湿ローターおよびこの除湿ローターを回動する回動手段とを備え、前記ヒートポンプは、圧縮機と、圧縮機の下流に順次設けた第一の放熱器、第二の放熱器、膨張手段、吸熱器とにより形成し、前記除湿ローターは放湿部と吸湿部とからなり、前記放湿部は前記第二の放熱器と前記第一の放熱器との間の風路に設け、前記吸湿部は前記吸熱器と前記第一の排気口との間の風路に設け、前記第一の吸気口から前記本体ケース内に吸気した空気を前記第一の放熱器、前記除湿ローターの前記放湿部、前記第二の放熱器を順次介して前記第一の排気口へと送風する第一の送風手段と、前記第二の吸気口から前記本体ケース内に吸気した空気を前記吸熱器、前記除湿ローターの前記吸湿部を順次介して前記第二の排気口へと送風する第二の送風手段と、前記第一の排気口に、屋外と連通する連通手段とを備えた除湿装置。
【請求項６】
第一の放熱器は、前記吸熱器の上部に設け、放熱フィンは上下方向に向けて配置し、前記第一の放熱器と、前記除湿ローターの前記放湿部と、前記第二の放熱器とは対向し、前記圧縮機から前記第一の放熱器に向かう冷媒管は、前記第一の放熱器の上部に繋がり、前記第一の放熱器から前記第二の放熱器に向かう冷媒管は、前記第二の放熱器の上部に繋がる構成とした請求項５に記載の除湿装置。
【請求項７】
前記吸熱器は、前記第一の放熱器から前記第二の放熱器に向かう第三の冷媒管と、前記吸熱器から前記圧縮機に向かう第二の冷媒管とが近接し熱交換部を形成する構成とした請求項５または６に記載の除湿装置。
【請求項８】
熱交換部である前記第三の冷媒管と前記第二の冷媒管とを放熱フィンで熱的に結合させた請求項５または６に記載の除湿装置。
【請求項９】
第一の送風手段は、スクロール形状の第一のケーシングと、この第一のケーシング内に設けられた第一の羽根と、この第一の羽根を回転させる第一の電動機とから形成し、前記第一のケーシングの吸込口の中心部は、前記除湿ローターは前記放湿部において、上部寄りに位置する構成とした請求項１〜８のいずれか一つに記載の除湿装置。
【請求項１０】
第一のケーシングの吸込口の中心部は、前記除湿ローターは前記放湿部において、前記除湿ローターの回転方向における上流側寄りに位置する構成とした請求項１〜９のいずれか一つに記載の除湿装置。
【請求項１１】
第二の吸気口の上下方向の長さは、前記吸熱器の上下方向の長さより長く、前記第二の吸気口の下端は、前記吸熱器の下端より下部に位置する構成である請求項１〜１０のいずれか一つに記載の除湿装置。
【請求項１２】
連通手段は、柔軟な中空形状のパイプであり、外周部に断熱部分を設けた請求項１〜１１のいずれか一つに記載の除湿装置。
【発明の詳細な説明】
【技術分野】
【０００１】
本発明は、除湿ローターを用いた除湿装置に関するものである。
【背景技術】
【０００２】
従来のこの種除湿装置の構造は、以下のようになっていた。
【０００３】
すなわち、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記吸熱器、前記放熱器を順次介して排気口へと送風する送風手段を備えた構成となっていた（例えば下記特許文献１）。
【先行技術文献】
【特許文献】
【０００４】
【特許文献１】特開昭５９−１５０２３１号公報
【発明の概要】
【発明が解決しようとする課題】
【０００５】
上記従来例において、室内でヒートポンプにより除湿運転を行うと、除湿作用だけでなく、ヒートポンプより熱が発生する。そこで単に、ヒートポンプから発生する熱を屋外に排熱すると、その分室内の気圧が低下するので、隙間等を介して屋外の空気が室内に侵入してしまう。しかし、屋外の空気は、高温高湿であるので、これが室内に流入すると、室内の湿度を急激に高めてしまう。特に、屋外が、梅雨などの高湿度な場合には、室内の空気に比べて高湿度な空気が室内に入ることとなり、室内の湿度が上昇し、除湿能力が低下することになる。
【０００６】
そこで本発明は、排熱対策において、除湿能力を高めることを目的とするものである。
【課題を解決するための手段】
【０００７】
そしてこの目的を達成するために本発明は、第一、第二の吸気口と、第一、第二の排気口を有する本体ケースと、この本体ケース内に設けられたヒートポンプ、除湿ローターおよびこの除湿ローターを回動する回動手段とを備え、前記ヒートポンプは、圧縮機と、圧縮機の下流に順次設けた第一の放熱器、第二の放熱器、膨張手段、吸熱器とにより形成し、前記除湿ローターは放湿部と吸湿部とからなり、前記放湿部は前記第二の放熱器と前記第一の放熱器との間の風路に設け、前記吸湿部は前記吸熱器と前記第一の排気口との間の風路に設け、前記第一の吸気口から前記本体ケース内に吸気した空気を前記第二の放熱器、前記除湿ローターの前記放湿部、前記第一の放熱器を順次介して前記第一の排気口へと送風する第一の送風手段と、前記第二の吸気口から前記本体ケース内に吸気した空気を前記吸熱器、前記除湿ローターの前記吸湿部を順次介して前記第二の排気口へと送風する第二の送風手段と、前記第一の排気口に、屋外と連通する連通手段とを備え、これにより初期の目的を達成するものである。
【発明の効果】
【０００８】
以上のように本発明は、第一、第二の吸気口と、第一、第二の排気口を有する本体ケースと、この本体ケース内に設けられたヒートポンプ、除湿ローターおよびこの除湿ローターを回動する回動手段とを備え、前記ヒートポンプは、圧縮機と、圧縮機の下流に順次設けた第一の放熱器、第二の放熱器、膨張手段、吸熱器とにより形成し、前記除湿ローターは放湿部と吸湿部とからなり、前記放湿部は前記第二の放熱器と前記第一の放熱器との間の風路に設け、前記吸湿部は前記吸熱器と前記第一の排気口との間の風路に設け、前記第一の吸気口から前記本体ケース内に吸気した空気を前記第二の放熱器、前記除湿ローターの前記放湿部、前記第一の放熱器を順次介して前記第一の排気口へと送風する第一の送風手段と、前記第二の吸気口から前記本体ケース内に吸気した空気を前記吸熱器、前記除湿ローターの前記吸湿部を順次介して前記第二の排気口へと送風する第二の送風手段と、前記第一の排気口に、屋外と連通する連通手段とを備えたものであるので、排熱対策における除湿能力の低下を防止することができる。
【０００９】
すなわち、本発明においては、第一の吸気口から本体ケース内に吸気した空気を第二の放熱器、除湿ローターの放湿部、第一の放熱器を順次介して第一の排気口へと送風する第一の送風手段と、第二の吸気口から本体ケース内に吸気した空気を吸熱器、除湿ローターの吸湿部を順次介して第二の排気口へと送風する第二の送風手段と、第二の排気口に、屋外と連通する連通手段を備えたので、まず、除湿ローターの放湿部で、第二の放熱器によって加熱した室内の空気が、除湿ローターの吸湿部で吸湿した室内の湿気を取り込む。ここで、高湿ではあるが、除湿ローターの放湿部で室内の湿気を取り込む時に熱が奪われ、第二の放熱器の温度より低い温度の空気となる。次に、この空気に、第二の放熱器より温度の高い第一の放熱器によって加熱することにより、高温で高湿な空気となる。この高温で高湿な空気を、第一の送風手段によって、第一の排気口と、連通手段とを介し、屋外に排気することができるものである。
【００１０】
つまり、本発明においては、屋外に排気する高温で高湿な空気の絶対湿度を屋外空気の絶対湿度より高くできるので、この排気にともなって室内へ屋外空気が流入したとしても、湿度はそれほど高くならない。このため、排熱対策において、除湿能力を高めることができる。
【図面の簡単な説明】
【００１１】
【図１】本発明の実施の形態１を示す概略断面を示す図
【図２】同概略を示す図
【図３】本発明の実施の形態２を示す概略断面を示す図
【図４】本発明の実施の形態１および２の連通手段の概略図
【発明を実施するための形態】
【００１２】
以下、本発明の実施形態について図面を参照しながら説明する。
【００１３】
（実施の形態１）
図１に示すように、本実施形態の除湿装置は、１は略箱形状の本体ケースであり、この本体ケース１の前面側側面の上部には、略四角形状の吸気口２、本体ケース１の前面側側面の中央部には、略四角形状の吸気口３を設け、背面寄り天面には、略四角形状の排気口４と、背面側側面には、略円筒形状の排気口５を設けている。この本体ケース１内には、ヒートポンプ６を備え、このヒートポンプ６は、圧縮機７と、圧縮機７の下流に順次設けた放熱器８、放熱器９、膨張手段１０、吸熱器１１とにより形成している。
【００１４】
放熱器８と、放熱器９および吸熱器１１との間に円板形状の除湿ローター１２を回動自在に設け、この除湿ローター１２を回動する回動手段である電動機１３を備えている。
【００１５】
除湿ローター１２は放湿部１４と吸湿部１５とからなり、放湿部１４は放熱器９と放熱器８との間の風路に設け、吸湿部１５は吸熱器１１と排気口４との間の風路に設けている。
【００１６】
除湿ローター１２の吸湿部１５と排気口４との間の風路に送風手段１６を設け、この送風手段１６によって、吸気口３から本体ケース１内に吸気した空気を吸熱器１１、除湿ローター１２の吸湿部１５を順次介して排気口４へと送風される。
【００１７】
すなわち、送風手段１６によって吸気口３から本体ケース１内に吸気した空気は、吸熱器１１で結露させて除湿し、吸湿部１５に達する。そこで、乾燥状態となった除湿ローター１２の放湿部１４が回動手段である電動機１３によって回転し、吸湿部１５となり、この吸湿部１５で吸熱器１１で除湿されなかった湿度を吸湿し除湿し、この除湿された空気が排気口４から室内へ送風されるものである。
【００１８】
本実施形態における特徴は、吸気口２から本体ケース１内に吸気した空気を放熱器９、除湿ローター１２の放湿部１４、放熱器８を順次介して排気口５へと送風される送風手段１７を放熱器８と排気口５との間の風路に設けるとともに、排気口５には、屋外と連通する連通手段１８を備えている点である。
【００１９】
すなわち、除湿ローター１２の放湿部１４で、放熱器９によって加熱した室内の空気が、除湿ローター１２の吸湿部１５で吸湿した室内の湿気を取り込む。ここで、高湿ではあるが、除湿ローター１２の放湿部１４で室内の湿気を取り込む時に熱が奪われ、放熱器９の温度より低い温度の空気となる。次に、この空気に、放熱器９より温度の高い放熱器８によって加熱することにより、高温で高湿な空気となる。この高温で高湿な空気を、送風手段１７によって、排気口５と、連通手段１８とを介し、屋外に排気することができるものである。
【００２０】
結果として、高温で高湿な空気を屋外に排気することができるので、効果的な排熱対策をとることができる。
【００２１】
また、放熱器９は、吸熱器１１の上部に設け、放熱フィン９ａは上下方向に向けて配置し、放熱器９と、除湿ローター１２の放湿部１４と、放熱器８とは対向し、圧縮機７から放熱器８に向かう冷媒管１９は、放熱器８の上部に繋がり、放熱器８から放熱器９に向かう冷媒管２０は、放熱器９の上部に繋がる構成としたものである。具体的には、円板形状の除湿ローター１２は、水平方向の中心軸部２１を中心に回転し、この中心軸部２１より上部に位置する略半円形状部が放湿部１４となり、中心軸部より下部に位置する略半円形状部が吸湿部１５となる。この吸湿部１５の風路風上側には、吸湿部１５に対向して略横長四角形状の吸熱器１１を備えている。そして、放湿部１４の風路風上側には、放湿部１４に対向して略横長四角形状の放熱器９を、放湿部１４の風路風下側には、放湿部１４に対向して略横長四角形状の放熱器８を設けている。圧縮機７から高温高圧の冷媒は、まず、冷媒管１９によって放熱器８の上部に流れ、放熱器８の蛇腹状の冷媒管９ｂを上部から下部の方向へ流れる。次に、冷媒管２０によって放熱器９の上部に流れ、放熱器９の蛇腹状の冷媒管９ｂを上部から下部の方向へ流れる。
【００２２】
すなわち、放熱器９は、冷媒は上部から下部の方向へ流れるので、下部より上部の方がより高温となる。ここで、円板形状の除湿ローター１２の円周側である周縁部１２ａは、電動機１３によって回転することにより、まず、放熱器９の下部から上部へ対向しながら移動し、次に、放熱器９の上部から下部へ対向しながら移動し、その後、吸湿部１５になるものである。つまり、除湿ローター１２の周縁部１２ａは徐徐に温度が上がるので、効率良く加熱され、放熱器９の上部に近い温度となり、湿気の放出量が向上する。また、放熱器８と放熱器９は、どちらも、冷媒は上部から下部の方向へ流れるので、下部より上部の方がより高温となる。ここで、放熱器９と、除湿ローター１２の放湿部１４と、放熱器８とは対向しているので、放熱器９の上部を通過した空気は、放湿部１４を介し、主に放熱器８の上部に流れ、同様に、放熱器９の下部を通過した空気は、放湿部１４を介し、主に放熱器８の下部に流れるものである。つまり、放熱器９の上部の温度と、放熱器８の上部の温度との温度差は、放熱器９の下部の温度と、放熱器８の下部の温度との温度差とは、近い温度となるので、放熱器９の上部を通過した加熱された空気が、放湿部１４で湿気を取り込む時に熱が奪われ温度が下がるが、放熱器８の上部に流れ、放熱器８の上部によって上昇する温度と、放熱器９の下部を通過した加熱された空気が、放湿部１４で湿気を取り込む時に熱が奪われ温度が下がるが、放熱器８の下部に流れ、放熱器８の上部によって上昇する温度と近い温度になり、結果として、放熱器８の熱量を効率的にのせることができる。
【００２３】
また、送風手段１７は、スクロール形状のケーシング１７ａと、このケーシング内に設けられた羽根１７ｂと、この羽根を回転させる電動機１７ｃとから形成し、ケーシング１７ａの吸込口の中心部は、除湿ローター１２の放湿部１４において、除湿ローター１２の回転方向における上流側寄りに位置する構成としたものである。具体的には、吸気口２と、放熱器９と、除湿ローター１２の放湿部１４と、放熱器８と、送風手段１７のケーシング１７ａの吸込口とは対向した位置関係にあり、本体ケース１の前面から見て、ケーシング１７ａの吸込口の中心部は、除湿ローター１２の放湿部１４において、上部寄りに位置するものである。
【００２４】
すなわち、ケーシング１７ａの吸込口の中心部は、放湿部１４の上部寄り、つまり、放熱器９および放熱器８の上部寄りの高温部分と対向するので、その部分を通過する風量が増加し、高温な空気をより多く屋外に排気することができるので、効果的な排熱対策をとることができる。
【００２５】
また、ケーシング１７ａの吸込口の中心部は、除湿ローター１２の放湿部１４において、除湿ローター１２の回転方向における上流側寄りに位置する構成としたものである。具体的には、吸気口２と、放熱器９と、除湿ローター１２の放湿部１４と、放熱器８と、送風手段１７のケーシング１７ａの吸込口とは対向した位置関係にあり、本体ケース１の前面から見て、ケーシング１７ａの吸込口の中心部は、除湿ローター１２の放湿部１４において、除湿ローター１２の回転方向における上流側寄りに位置するものである。
【００２６】
すなわち、ケーシング１７ａの吸込口の中心部は、除湿ローター１２の回転方向における上流側寄りの放湿部１４、つまり放湿部１４でも湿気をより多く含んだ部分と対向するので、その部分を通過する風量が増加し、高湿な空気をより多く屋外に排気することができるので、効果的な排熱対策をとることができる。
【００２７】
また、吸熱器１１は、放熱器９から膨張手段１０に向かう冷媒管２２と、吸熱器１１から圧縮機７に向かう冷媒管２３とが近接し熱交換部２４を形成する構成としたものである。具体的には、吸熱器１１は、放熱器９の真下に位置し、放熱器９の最下部の冷媒管である冷媒管２２の真下に、吸熱器１１の最上部の冷媒管である冷媒管２３が位置するものである。このように、冷媒管２２と冷媒管２３とが、近接し熱交換部２４を形成している。
【００２８】
すなわち、熱交換部２４において、冷媒管２３内の低温の冷媒が、冷媒管２２内の高温の冷媒の熱を奪うため、冷媒管１９内の冷媒の温度を下げることができる。これにより、膨張手段１０に、冷媒管２２から温度が下がった状態の冷媒が供給されるために、膨張手段１０で減圧膨張された冷媒の温度が十分低い状態で吸熱器１１に供給され、その結果として、室内空気を大量に結露させて、除湿能力を向上させることが出来るのである。
【００２９】
また、熱交換部２４である冷媒管２２と冷媒管２３とを放熱フィンで熱的に結合させたものである。具体的には、放熱器９の放熱フィン９ａと、吸熱器１１の放熱フィン９ａとが一体となったものである。このように、冷媒管２２と冷媒管２３とが、放熱フィンで熱的に結合し、熱交換部２４を形成している。
【００３０】
すなわち、熱交換部２４において、冷媒管２３内の低温の冷媒が、放熱フィンを介して、冷媒管２２内の高温の冷媒の熱を奪うため、冷媒管１９内の冷媒の温度を下げることができる。これにより、膨張手段１０に、冷媒管２２から更に温度が下がった状態の冷媒が供給されるために、膨張手段１０で減圧膨張された冷媒の温度が十分低い状態で吸熱器１１に供給され、その結果として、室内空気を大量に結露させて、除湿能力を向上させることが出来るのである。
【００３１】
また、吸気口３の上下方向の長さは、吸熱器１１の上下方向の長さより長く、吸気口３の下端は、吸熱器１１の下端より下部に位置するものである。具体的には、吸気口３は、略四角形状で本体ケース１の前面側側面の中央部に位置し、この吸気口３に対向して、略横長四角形状の吸熱器１１が配置されている。吸気口３の上端と、吸熱器１１の上端とは、上下方向においてほぼ同じ位置に有り、吸気口３の下端は、吸熱器１１の下端より、上下方向において下部に位置するものである。
【００３２】
すなわち、吸気口３の下端は、吸熱器１１の下端より、上下方向において下部に位置するので、送風手段１６によって吸気口３から本体ケース１内に吸気した空気は、吸熱器１１の上部を通過する空気より、吸熱器１１の下部を通過する空気が増加する。つまり、吸熱器１１において、より温度の低い部分である吸熱器１１の下部を通過する風量が増えるので、除湿効率が向上する。
【００３３】
また、図４に示すように、本体ケース１と屋外とを連通する連通手段１８は、柔軟性のある中空形状のパイプ２８で、外周部に断熱部分を設けたものである。具体的には、連通手段１８は、排気口５に設けられ、柔軟性のある中空形状で、本体ケース１と屋外とを連通し、円筒形状のフレキシブルなパイプ２８で、このパイプ２８の外周部に断熱部分である断熱材２９を巻いたものである。このパイプ２８の一端を排気口５に接続し、他端を室内の壁に設けた孔、例えば、エアコン配管用の孔から屋外に出すものである。このように、本体ケース１の排気口５と屋外とを連通する場合に、柔軟性のあるパイプ２８なので、配管作業を容易に行うことが出来、パイプ２８内での結露を抑制できる。
【００３４】
（実施の形態２）
以下、本発明の実施の形態２における除湿装置について図面を参照しながら説明する。なお、実施の形態１の構成と同様の構成を有するものについては、同一符号を付してその説明を省略する。
【００３５】
実施の形態１と相違する点は、図３に示す放熱器８と前記放熱器９の位置関係である。具体的には、吸気口２から本体ケース１内に吸気した空気を放熱器８、除湿ローター１２の放湿部１４、放熱器９を順次介して排気口５へと送風される送風手段１７を放熱器８と排気口５との間の風路に設けるとともに、排気口５には、屋外と連通する連通手段１８を備えている。
【００３６】
すなわち、除湿ローター１２の放湿部１４で、放熱器９よりは温度の高い放熱器８によって加熱した室内の空気が、除湿ローター１２の吸湿部１５で吸湿した室内の湿気を取り込む。ここで、高湿ではあるが、除湿ローター１２の放湿部１４で室内の湿気を取り込む時に熱が奪われ、放熱器８の温度より低い温度の空気となる。次に、この空気に、放熱器９によって加熱することにより、高温で高湿な空気となる。この高温で高湿な空気を、送風手段１７によって、排気口５と、連通手段１８とを介し、屋外に排気することができるものである。
【００３７】
結果として、高温で高湿な空気を屋外に排気することができるので、効果的な排熱対策をとることができる。
【００３８】
また、放熱器８は、吸熱器１１の上部に設け、放熱フィンは上下方向に向けて配置し、放熱器８と、除湿ローター１２の放湿部１４と、放熱器９とは対向し、圧縮機７から放熱器８に向かう冷媒管１９は、放熱器８の上部に繋がり、放熱器８から放熱器９に向かう冷媒管２０は、放熱器９の上部に繋がる構成としたものである。
【００３９】
具体的には、円板形状の除湿ローター１２は、水平方向の中心軸部２１を中心に回転し、この中心軸部２１より上部に位置する略半円形状部が放湿部１４となり、中心軸部より下部に位置する略半円形状部が吸湿部１５となる。この吸湿部１５の風路風上側には、吸湿部１５に対向して略横長四角形状の吸熱器１１を備えている。そして、放湿部１４の風路風上側には、放湿部１４に対向して略横長四角形状の放熱器８を、放湿部１４の風路風下側には、放湿部１４に対向して略横長四角形状の放熱器９を設けている。圧縮機７から高温高圧の冷媒は、まず、冷媒管１９によって放熱器８の上部に流れ、放熱器８の蛇腹状の冷媒管９ｂを上部から下部の方向へ流れる。次に、冷媒管２０によって放熱器９の上部に流れ、放熱器９の蛇腹状の冷媒管９ｂを上部から下部の方向へ流れる。
【００４０】
すなわち、放熱器９より温度の高い放熱器８は、冷媒は上部から下部の方向へ流れるので、下部より上部の方がより高温となる。ここで、円板形状の除湿ローター１２の円周側である周縁部１２ａは、電動機１３によって回転することにより、まず、放熱器８の下部から上部へ対向しながら移動し、次に、放熱器８の上部から下部へ対向しながら移動し、その後、吸湿部１５になるものである。つまり、放熱器９より温度の高い放熱器８によって、除湿ローター１２の周縁部１２ａは徐徐に温度が上がるので、効率良く加熱され、放熱器９より温度の高い放熱器８の上部に近い温度となり、湿気の放出量が向上する。
【００４１】
また、放熱器８と放熱器９は、どちらも、冷媒は上部から下部の方向へ流れるので、下部より上部の方がより高温となる。ここで、放熱器８と、除湿ローター１２の放湿部１４と、放熱器９とは対向しているので、放熱器８の上部を通過した空気は、放湿部１４を介し、主に放熱器９の上部に流れ、同様に、放熱器８の下部を通過した空気は、放湿部１４を介し、主に放熱器９の下部に流れるものである。つまり、放熱器９の上部の温度と、放熱器８の上部の温度との温度差は、放熱器９の下部の温度と、放熱器８の下部の温度との温度差とは、近い温度となるので、放熱器８の上部を通過した加熱された空気が、放湿部１４で湿気を取り込む時に熱が奪われ温度が下がるが、放熱器９の上部に流れ、放熱器９の上部によって上昇する温度と、放熱器８の下部を通過した加熱された空気が、放湿部１４で湿気を取り込む時に熱が奪われ温度が下がるが、放熱器９の下部に流れ、放熱器９の上部によって上昇する温度と近い温度になり、結果として、放熱器９の熱量を効率的にのせることができる。
【００４２】
また、送風手段１７は、スクロール形状のケーシング１７ａと、このケーシング内に設けられた羽根１７ｂと、この羽根を回転させる電動機１７ｃとから形成し、ケーシング１７ａの吸込口の中心部は、除湿ローター１２の放湿部１４において、上部寄りに位置する構成としたものである。具体的には、吸気口２と、放熱器８と、除湿ローター１２の放湿部１４と、放熱器９と、送風手段１７のケーシング１７ａの吸込口とは対向した位置関係にあり、本体ケース１の前面から見て、ケーシング１７ａの吸込口の中心部は、除湿ローター１２の放湿部１４において、上部寄りに位置するものである。
【００４３】
すなわち、ケーシング１７ａの吸込口の中心部は、放湿部１４の上部寄り、つまり、放熱器９および放熱器８の上部寄りの高温部分と対向するので、その部分を通過する風量が増加し、高温な空気をより多く屋外に排気することができるので、効果的な排熱対策をとることができる。
【００４４】
また、ケーシング１７ａの吸込口の中心部は、除湿ローター１２の放湿部１４において、除湿ローター１２の回転方向における上流側寄りに位置する構成としたものである。具体的には、吸気口２と、放熱器８と、除湿ローター１２の放湿部１４と、放熱器９と、送風手段１７のケーシング１７ａの吸込口とは対向した位置関係にあり、本体ケース１の前面から見て、ケーシング１７ａの吸込口の中心部は、除湿ローター１２の放湿部１４において、除湿ローター１２の回転方向における上流側寄りに位置するものである。
【００４５】
すなわち、ケーシング１７ａの吸込口の中心部は、除湿ローター１２の回転方向における上流側寄りの放湿部１４、つまり放湿部１４でも湿気をより多く含んだ部分と対向するので、その部分を通過する風量が増加し、高湿な空気をより多く屋外に排気することができるので、効果的な排熱対策をとることができる。
【００４６】
また、吸熱器１１は、放熱器８から放熱器９に向かう第三の冷媒管２０と、吸熱器１１から圧縮機７に向かう冷媒管２３とが近接し熱交換部２７を形成する構成としたものである。具体的には、吸熱器１１は、放熱器８の真下に位置し、放熱器８の最下部の冷媒管である冷媒管１９の真下に、吸熱器１１の最上部の冷媒管である冷媒管２３が位置するものである。このように、冷媒管１９と冷媒管２３とが、近接し熱交換部２７を形成している。
【００４７】
すなわち、熱交換部２７において、冷媒管１９内の高温の冷媒の熱が、冷媒管２３内の低温の冷媒に、熱を与えるため、冷媒管２３の冷媒の温度を上げることができる。つまり、圧縮機７に流入する冷媒の温度を上げてガス化することにより、圧縮機７に液体の冷媒が流入して圧縮機７の故障の原因となることを防ぐことができる。これらの結果として、除湿能力を向上させることが出来るのである。
【００４８】
また、熱交換部２７である第三の冷媒管１９と冷媒管２３とを放熱フィンで熱的に結合させたものである。具体的には、放熱器８の放熱フィン９ａと、吸熱器１１の放熱フィン９ａとが一体となったものである。このように、第三の冷媒管１９と冷媒管２３とが、放熱フィンで熱的に結合し、熱交換部２７を形成している。
【００４９】
すなわち、熱交換部２７において、冷媒管１９内の高温の冷媒の熱が、放熱フィンを介して、冷媒管２３内の低温の冷媒に熱を与えるため、冷媒管２３の冷媒の温度を上げることができる。つまり、圧縮機７に流入する冷媒の温度を上げてガス化することにより、圧縮機７に液体の冷媒が流入して圧縮機７の故障の原因となることを防ぐことができる。これらの結果として、除湿能力を向上させることが出来るのである。
【００５０】
また、吸気口３の上下方向の長さは、吸熱器１１の上下方向の長さより長く、吸気口３の下端は、吸熱器１１の下端より下部に位置するものである。具体的には、吸気口３は、略四角形状で本体ケース１の前面側側面の中央部に位置し、この吸気口３に対向して、略横長四角形状の吸熱器１１が配置されている。吸気口３の上端と、吸熱器１１の上端とは、上下方向においてほぼ同じ位置に有り、吸気口３の下端は、吸熱器１１の下端より、上下方向において下部に位置するものである。
【００５１】
すなわち、吸気口３の下端は、吸熱器１１の下端より、上下方向において下部に位置するので、送風手段１６によって吸気口３から本体ケース１内に吸気した空気は、吸熱器１１の上部を通過する空気より、吸熱器１１の下部を通過する空気が増加する。つまり、吸熱器１１において、より温度の低い部分である吸熱器１１の下部を通過する風量が増えるので、除湿効率が向上する。
【００５２】
また、図４に示すように、本体ケース１と屋外とを連通する連通手段１８は、柔軟性のある中空形状のパイプ２８で、外周部に断熱部分を設けたものである。具体的には、連通手段１８は、排気口５に設けられ、柔軟性のある中空形状で、本体ケース１と屋外とを連通し、円筒形状のフレキシブルなパイプ２８で、このパイプ２８の外周部に断熱部分である断熱材２９を巻いたものである。このパイプ２８の一端を排気口５に接続し、他端を室内の壁に設けた孔、例えば、エアコン配管用の孔から屋外に出すものである。このように、本体ケース１の排気口５と屋外とを連通する場合に、柔軟性のあるパイプ２８なので、配管作業を容易に行うことが出来、パイプ２８内での結露を抑制できる。
【産業上の利用可能性】
【００５３】
以上のように本発明は、第一、第二の吸気口と、第一、第二の排気口を有する本体ケースと、この本体ケース内に設けられたヒートポンプ、除湿ローターおよびこの除湿ローターを回動する回動手段とを備え、前記ヒートポンプは、圧縮機と、圧縮機の下流に順次設けた第一の放熱器、第二の放熱器、膨張手段、吸熱器とにより形成し、前記除湿ローターは放湿部と吸湿部とからなり、前記放湿部は前記第二の放熱器と前記第一の放熱器との間の風路に設け、前記吸湿部は前記吸熱器と前記第一の排気口との間の風路に設け、前記第一の吸気口から前記本体ケース内に吸気した空気を前記第二の放熱器、前記除湿ローターの前記放湿部、前記第一の放熱器を順次介して前記第一の排気口へと送風する第一の送風手段と、前記第二の吸気口から前記本体ケース内に吸気した空気を前記吸熱器、前記除湿ローターの前記吸湿部を順次介して前記第二の排気口へと送風する第二の送風手段と、前記第一の排気口に、屋外と連通する連通手段とを備えたものであるので、排熱対策における除湿能力の低下を防止することができる。
【００５４】
すなわち、本発明においては、第一の吸気口から本体ケース内に吸気した空気を第二の放熱器、除湿ローターの放湿部、第一の放熱器を順次介して第一の排気口へと送風する第一の送風手段と、第二の吸気口から本体ケース内に吸気した空気を吸熱器、除湿ローターの吸湿部を順次介して第二の排気口へと送風する第二の送風手段と、第二の排気口に、屋外と連通する連通手段を備えたので、まず、除湿ローターの放湿部で、第二の放熱器によって加熱した室内の空気が、除湿ローターの吸湿部で吸湿した室内の湿気を取り込む。ここで、高湿ではあるが、除湿ローターの放湿部で室内の湿気を取り込む時に熱が奪われ、第二の放熱器の温度より低い温度の空気となる。次に、この空気に、第二の放熱器より温度の高い第一の放熱器によって加熱することにより、高温で高湿な空気となる。この高温で高湿な空気を、第一の送風手段によって、第一の排気口と、連通手段とを介し、屋外に排気することができるものである。
【００５５】
つまり、本発明においては、屋外に排気する高温で高湿な空気の絶対湿度を屋外空気よりも絶対湿度の高いので、この排気にともなって室内へ屋外空気が流入したとしても、湿度はそれほど高くならない。このため、排熱対策において、除湿能力を高めることができる。
【００５６】
従って、家庭用や事務用などの、除湿装置としての活用が期待されるものである。
【符号の説明】
【００５７】
１      本体ケース
２      吸気口
３      吸気口
４      排気口
５      排気口
６      ヒートポンプ
７      圧縮機
８      放熱器
９      放熱器
９ａ    放熱フィン
９ｂ    冷媒管
１０    膨張手段
１１    吸熱器
１２    除湿ローター
１２ａ  周縁部
１３    電動機
１４    放湿部
１５    吸湿部
１６    送風手段
１７    送風手段
１７ａ  ケーシング
１７ｂ  羽根
１７ｃ  電動機
１８    連通手段
１９    冷媒管
２０    冷媒管
２２    冷媒管
２３    冷媒管
２４    熱交換部
２７    熱交換部
２８    パイプ
２９    断熱材
【図１】
2011120977.tif 000003
【図２】
2011120977.tif 000004
【図３】
2011120977.tif 000005
【図４】
2011120977.tif 000006